(57)【特許請求の範囲】
【請求項１】
少なくとも一つの管部分（１ａ，１ｂ）から成り、この管部分が担持装置に保持され、かつこの管部分を通じて引張り部材（１０ａ，１０ｂ）が延びており、
この引張り部材が、管部分（１ａ，１ｂ）の一方の端部に固定され、かつ管部分（１ａ，１ｂ）の他方の端部で、そこに支持されている緊張装置（１６ａ，１６ｂ）に固定されており、
さらにこの引張り部材が、管部分（１ａ，１ｂ）により担持されるべき負荷の方向を考慮して、管部分（１ａ，１ｂ）の中心線に対して半径方向にずれて保持されているカーテンレールにおいて、
担持装置が唯一の担持体（２）から成り、この担持体に、二つの管部分（１ａ，１ｂ）が、その互いに隣接した端部（７ａ，７ｂ）でもって、互いに同軸に相対するように当接しており、引張り部材（１０ａ，１０ｂ）が、管部分（１ａ，１ｂ）内において、その中心線（Ｍ）に対して、各々負荷方向とは反対の方向にずれて保持されていることを特徴とするカーテンレール。
【請求項２】
担持体（２）に固定された管部分（１ａ，１ｂ）が両方とも同じ長さであることを特徴とする請求項１記載のカーテンレール。
【請求項３】
担持体（２）に固定された管部分（１ａ，１ｂ）が両方とも互いに異なる長さであることを特徴とする請求項１記載のカーテンレール。
【請求項４】
緊張装置（１６ａ，１６ｂ）が管部分（１ａ，１ｂ）の自由端部（８ａ，８ｂ）に配置されていることを特徴とする請求項１〜３のいずれか一つに記載のカーテンレール。
【請求項５】
管部分（１ａ，１ｂ）の内側に、インサート（１１ａ，１１ｂ）が設けられており、このインサートにより、引張り部材（１０ａ，１０ｂ）が、管部分（１ａ，１ｂ）内において、その中心線（Ｍ）に対して、各々負荷方向とは反対の方向にずれて保持されていることを特徴とする請求項１〜４のいずれか一つに記載のカーテンレール。
【請求項６】
各々引張り部材管路（３３）が、その中心線（Ｍ）に対して負荷方向とは反対方向にずれて、管部分（１ａ，１ｂ）内に成形されており、この管路内に引張り部材（１０ａ，１０ｂ）が支持されていることを特徴とする請求項１〜４のいずれか一つに記載のカーテンレール。
【請求項７】
担持体（２）が垂直平面に関して鏡対称に形成されており、両管部分（１ａ，１ｂ）の接続方向がこの平面に垂直であることを特徴とする請求項１〜６のいずれか一つに記載カーテンレール。
【請求項８】
担持体（２）が、互いに相対しているその両端面側から突出している差込み部分（１３ａ，１３ｂ）を備えた支承体（６）を有しており、この差込み部分に管部分（１ａ，１ｂ）の固定した端部（７ａ，７ｂ）が挿入されていることを特徴とする請求項１〜７のいずれか一つに記載のカーテンレール。
【請求項９】
差込み部分（１３ａ，１３ｂ）が引張り部材（１０ａ，１０ｂ）を収容するためのテンション装置（１５ａ，１５ｂ）を備えていることを特徴とする請求項８記載のカーテンレール。
【請求項１０】
管部分（１ａ，１ｂ）が円筒状管から成り、担持体（２）の支承体（６）が、その固定領域を除いて円筒形状を有しており、この円筒形状が管部分（１ａ，１ｂ）の固定された端部（７ａ，７ｂ）の外周部に面一で接続していることを特徴とする請求項８または９に記載のカーテンレール。
【請求項１１】
担持体（２）が、壁または天井に固定できるように形成され、かつブラケット（５）を有しており、その前側縁部に沿って、支承体（６）が設けられていることを特徴とする請求項８〜１０のいずれか一つに記載のカーテンレール。
【請求項１２】
担持体（２）の支承体（６）の長さが、支承体に沿って突出している差込み部分（１３ａ，１３ｂ）を除いて、ブラケット（５）の幅と同じであることを特徴とする請求項１１記載のカーテンレール。
【請求項１３】
支承体（６）あるいはブラケット（５）が、その後方部の固定側において固定成形材（２３）を備え、この固定成形材が、壁板（２４）に設けられた切欠き（２６）を通って取外し可能に設けられており、固定成形材（２３）が少なくとも一方の側において、固定成形材の後方側にずらして設けられ，側方に突出している桁部（２９）を有しており、壁板（２４）が、この桁部（２９）を正面側で係止している固定ネジ（３０）を備えていることを特徴とする請求項９〜１２のいずれか一つに記載のカーテンレール。
【請求項１４】
固定成形材（２３）と壁板（２４）の切欠き（２６）とが、縦長に形成されており、固定成形材（２３）が、固定ネジ（３０）から離間している固定成形材の長辺部（３１）でもって、切欠き（２６）の縦方向に沿って、切欠きの内部へ凸状に湾曲して延びている縁部領域（２７）に対して固定されていることを特徴とする請求項１３記載のカーテンレール。
【発明の詳細な説明】
【技術分野】
【０００１】
本発明は、少なくとも一つの管部分から成り、この管部分が担持装置に保持され、かつこの管部分を通じて引張り部材が延びており、
この引張り部材が、管部分の一方の端部に固定され、かつ管部分の他方の端部で、そこに支持されている緊張装置に固定されており、
さらにこの引張り部材が、管部分により担持されるべき負荷の方向を考慮して、管部分の中心線から間隔をおいて保持されているカーテンレールに関する。
【背景技術】
【０００２】
内側に配置されている緊張装置を備えたこのようなカーテンレールは、特許文献１から知られている。公知のカーテンレールは、その両端でもって、各々担持体に保持されており、吊るされたカーテンに下方に向かって負荷がかかっている状態における、カーテンレールの撓みを相殺するために、緊張装置が設けられている。公知の実施形態において、カーテンレールは、機械的に見てとれる二つの支承体に支持されたビームを示しており、撓み線の下方にある梁の領域を、支承体間で固定可能な引張り部材により支持することにより、負荷がかかった状態における、支承体間の中心に向かって大きくなる梁の撓みを少なくすることができる。
【特許文献１】ドイツ国特許出願公開第１００４７４４９号明細書
【発明の開示】
【発明が解決しようとする課題】
【０００３】
本発明の根底をなす課題は、負荷を相殺するための緊張装置を使用して、保持に必要な担持装置を簡素化できる、前述の様式のカーテンレールを提供することである。
【課題を解決するための手段】
【０００４】
この課題は、前述の様式のカーテンレールにあって、担持装置が唯一の担持体から成り、この担持体に、二つの管部分が、その互いに隣接した端部でもって、互いに同軸に相対するように当接しており、引張り部材が、管部分内において、その中心線（Ｍ）に対して、各々負荷方向とは反対の方向にずれて保持されていることにより解決される。
【０００５】
本発明にとっては、カーテンレールを保持するための、わずかに唯一の支承体を設けねばならないことが本質である。支承体を形成している唯一の担持体に、管部分が自由に当接して突出するように設けられており、したがって負荷を受けた状態で、管部分は、その自由端に向かって、ますます下方へと撓むもうとする。従って管部分にあって、その撓み曲線の上方にある領域を支持することが問題であり、このことは引張り部材により管部分内で行われ、引張り部材はその中心線に関して，負荷方向とは逆にずれており、さらに撓み曲線の上方で延びている。従って、引張り部材の張力により、管部分の自由端に向かって、ますます下方へと撓んだ領域は再度持ち上げられる。
本発明の有利な実施形態の特徴は従属請求項から明らかになる。
【発明を実施するための最良の形態】
【０００６】
本発明を、以下に実施例の図に基づきさらに詳しく説明する。
【実施例】
【０００７】
図１は二つの管部分１ａ及び１ｂから成るカーテンレールを詳細に示している。この場合、管部分１ａ，１ｂは円筒状管から形成されている。管部分１ａ，１ｂはただ唯一の担持体２を有する担持装置に固着している。ブラケットの様式によれば、担持体２はここに示した実施例の場合、壁かあるいは天井のどちらかに固定可能な固定ユニット４を備えた後方のプレート３から成る。担持体２の後方のプレート３には、置物台プレート５が突出するように設けられており、この置物台プレートはその前方縁部に沿って支承体６を担持している。支承体６は円筒状の外周部を有しており、その直径は管部分１ａ，１ｂの直径に等しく、そのため管部分１ａ，１ｂは、担持体２に固定された端部７ａ，７ｂと、支承体６において確実に連結している。支承体６の露出している外側の長さは、担持体２の置物台プレート５の幅に一致しており、担持体２の後方のプレート３は、置物台プレート５を介して側方へ突出している。従って担持体２の取付けは十分可能である。管部分１ａ，１ｂの両方から、担持体２に同じかあるいはほぼ同じ負荷が伝達する場合に、このことは少なくとも当てはまる。
【０００８】
カーテンレール全体は、図１及び２に示すように、担持体２に固定された互いに同軸の管部分１ａ，１ｂの端部７ａ，７ｂが、その管軸線が延長された状態でもって、垂直に立っている平面に対して対称に構成することができる。このことは担持体２にとっても重要であり、かつ管部分１ａ，１ｂの長さが同じである構造を前提とする。しかしながら、管部分１ａ，１ｂは、様々な長さにも構成することができ、それによって、担持体２により両側で収容しなければならない負荷は等しくなくなる。各々の場合において、管部分１ａ，１ｂは、その自由端８ａ，８ｂでキャップ９ａ，９ｂを用いて施栓されている。
【０００９】
図３は図示していない管部分１ａの内部構造と同一の、管部分１ｂの内部構造を示しており、この内部構造はカーテンレールの対称性に相応して、管部分１ｂに対して鏡対称に形成されているかあるいは設けられている。管部分１ｂの内部には、インサート１１ｂが配置されており、このインサートは管部分１ｂに比べて剛性のある管から成る。外側のスリーブラインに沿って、インサート１１ｂ内に溝が追加されており、この溝を貫通してロープのような引張り部材１０ｂが案内されている。引張り部材１０ｂは管部分１ｂの中心線Ｍから間隔を有しており、しかもこの中心線Ｍに対して上方に向かってずれている。従って引張り部材は、負荷が生じた場合に伸ばされる管部分１ｂの側に配置されている。管部分１ｂが対応してねじれた際のこのような伸びは、引張り部材１０ｂの緊張により反対に作用可能であり、この場合引張り部材１０ｂはインサート１１ｂに支持され、そして管部分１ｂの下方内壁の領域内で再度支持されている。
【００１０】
管部分１ｂの引張り部材１０ｂは、支承体６に固定されている。そのために支承体６は互いに相対しているその端面側において突出している差込み部分１３ａと１３ｂとを備え、この差込み部分は、支承体６の周囲に対して対応するように半径方向で段付けされている。従って管部分１ａ，１ｂの両方を固定している端部７ａ，７ｂは、支承体６の外側で面一で接続するように差し込むことができる。
【００１１】
図３について補足すると、図４は、そこに設けられた緊張装置１５ａ，１５ｂを備えた差込み部分１３ａと１３ｂの詳細部を示しており、その上方で両管部１ａ，１ｂの引張り部材１０ａ，１０ｂは、支承体６に固定されている。引張り部材１０ａ，１０ｂは、同軸方向で管部１ａ，１ｂの固定端部７ａ，７ｂでもって差込み部分１３ａと１３ｂに固定されており、従って差込み部分１３ａと１３ｂの両端において、引張り部材１０ａ，１０ｂのための転向装置１４ａ，１４ｂを設けることが必要である。これにより、引張り部材１０ａ，１０ｂは管部１ａ，１ｂの中心線Ｍに対して必然的に半径方向にずれた位置を占める。
【００１２】
管部分１ａ，１ｂの自由端８ａ，８ｂの内側に、引張り部材１０ａ，１０ｂのための緊張装置１６ａ，１６ｂが設けられており、右側の管部分の緊張装置を図５に詳しく示してある。これに関しては、管部分１ｂの自由端８ｂにおいて軸方向に可動な収容体１７ｂが必要であり、この収容体には、属している引張り部材１０ｂの第二端部が緊張装置１８ｂを用いて固定されている。引張り部材１０ｂを緊張体１７ｂの軸方向に挿入できるように、支承体６の差込み部分１３ａ，１３ｂの場合と同じ方法で、ここでも転向装置１９ｂが設けられている。張力体１７ｂは同軸のネジ孔を備えており、このネジ孔に固定ネジ２１ｂがねじ込まれている。その頭部により、固定ネジ２１ｂは当接部分２２ｂに支持されており、この当接部分は少なくとも軸方向で固定されて、管部分１ｂの自由端８ｂに嵌合している。張力体１７ｂと当接部分２２ｂの間の間隔は、引張り部材１０ｂをその都度使用する際に必要な引張り応力で取付けられるように、引張り部材１０ｂの長さに合わせて、張力体１７ｂのための十分な摺動行程が自由に使用できるように選択されている。
【００１３】
図６は、ここでは担持体２の一方の側に設けられた管部分１ｂに基づいた、カーテンレールの管部分１ａ，１ｂのための代替の実施形態を示している。引張り部材１０ａ，１０ｂを管部分１ａ，１ｂの中心線Ｍから間隔をおいて保持する、前に記載されたいインサート１１ａ，１１ｂの代わりに、ここでは、外側で軸方向の引張り部材管路３３が設けられている。引張り部材管路３３は管部分が構成されている材料内に成形されている。つまり管部分１ｂと形状一体に成形されている。引張り部材管路は、管部分の中心線Ｍの外側の管部分１ｂの外側線の近くで延びている。この実施形態の場合、引張り部材１０ｂの偏向は、支承体６の固定領域内においても、緊張装置１６ｂの固定領域内においても不要である。したがって、緊張装置１６ｂは管部分１ｂにおいて外側で軸方向に、軸線に平行に設けられている。
【００１４】
図７〜９は、固定ユニット４の詳細を示している。これには縦長の固定成形材２３が所属しており、この固定成形材は後方で支承体６か、あるいはブラケット５のどちらかに不動に設けられている。固定成形材２３が、支承体６、ブラケット５あるいは後方板３と形状一体ではない場合、ここでは後方板３に係合している連結ネジ３４を図７で図示したように、固定成形材はこれらに後方でネジ止めすることができる。この固定成形材２３を用いて、カーテンレール全体を壁板２４の中へ吊るすことができ、この壁板は、前もって、通常垂直な前述の部屋の壁あるいは建物の壁に不動に取付けられている。そのために、固定ネジ２５が設けられており、この固定ネジは平面図においては長方形の壁板２４の角隅側の貫通穴を通って貫通している。
【００１５】
固定成形材２３を収容するために、壁板２４は縦長の切欠き２６を有しており、この幅は側方に突出している桁部２９を含めた、縦長の固定成形材２３の幅よりも広い。長辺部に延びている桁部２９は、固定成形材２３の後方側にずらして設けられており、したがって桁部２９の正面側の前方に、縦長の固定面２８が固定成形材２３に位置している。固定面２８と桁部２９の正面側とにより形成されている、固定成形材２３に沿った長辺部の角度輪郭と、壁板２４に属した固定ネジ３０が、係合可能である。それにより、固定成形材２３は、固定ネジ３０から離れている固定成形材の長辺部３１でもって、壁板２４内の切欠き（２６）の内部に凸状に湾曲している縁部領域２７に抗して固定される。この縁部領域の湾曲部は、壁板２４の縦方向で延びており、この方向で固定ネジ３０が、互いに間隔を置いて設けられている。
【００１６】
固定ネジ３０が両方とも、同じ突出部により、壁板２４の切欠き２６の内側で、固定成形材２３に抗して固定された場合、縦長の壁板２４に対する固定成形材２３の平行な位置が調節される。この位置は図６において再現されている。それに反して図７は、壁板２４に対する固定成形材２３の傾斜した位置を示している。なぜなら、両固定ネジ３０の一方は固定成形材２３に抗してさらに予め回転しており、同時に他方の固定ネジは図６に示した平行位置と比べて、外側に向かってさらに引っ込んでいるからである。固定ネジ３０を介した調節は、二通りで達せられる。一つは壁板２４傾斜位置を調節できることであり、もう一つは、特に管部分の長さが不均一な場合、不均一な負荷によりそこで制限された様々な撓みを相殺することができることである。特にこのような場合、管部分１ａ，１ｂの端部を同じ高さ位置に調節できる。
【図面の簡単な説明】
【００１７】
【図１】所属する担持装置を備えたカーテンレールの上から見た斜視図である。
【図２】図１によるカーテンレールの下から見た斜視図である。
【図３】両管部分の一方の端部から担持装置を越えた領域における図１及び２によるカーテンレールの縦方向断面図である。
【図４】担持装置領域内における前述の図によるカーテンレールの縦方向断面図である。
【図５】両管部分の自由端領域内における、前述の図によるカーテンレールの縦方向断面図である。
【図６】他の実施形態におけるカーテンレールの概略図である。
【図７】カーテンレールとその担持装置の背面斜視図である。
【図８】第一位置におけるカーテンレールの担持装置に関する取付けユニットの詳細部斜視図である。
【図９】第一位置における図８による取付けユニットの同様な図である。
【符号の説明】
【００１８】
１ａ      管部分
１ｂ      管部分
２        担持体
５        ブラケット
６        支承体
７ａ      端部
７ｂ      端部
８ａ      自由端部
８ｂ      自由端部
１０ａ    引張り部材
１０ｂ    引張り部材
１１ａ    インサート
１１ｂ    インサート
１３ａ    差込み部分
１３ｂ    差込み部分
１５ａ    緊張装置
１５ｂ    緊張装置
２３      固定成形材
２４      壁板
２６      切欠き
２７      縁部領域
２９      桁部
３０      固定ネジ
３１      長辺部
３３      引張り部材管路
【図１】
0004467562.tif 000002
【図２】
0004467562.tif 000003
【図３】
0004467562.tif 000004
【図４】
0004467562.tif 000005
【図５】
0004467562.tif 000006
【図６】
0004467562.tif 000007
【図７】
0004467562.tif 000008
【図８】
0004467562.tif 000009
【図９】
0004467562.tif 000010